(57)【特許請求の範囲】
【請求項１】
ユーザ機器（ＵＥ）のための装置であって、
周波数分割デュープレクス−時分割デュープレクス（ＦＤＤ−ＴＤＤ）のハイブリッド自動再送要求確認応答（ＨＡＲＱ−ＡＣＫ）フィードバックプロシージャをプライマリサービングセル（ＰＣｅｌｌ）フレーム構造のタイプ１に規定するように構成される処理回路を含むベースバンド回路であって、更に、
ＬＴＥ無線通信ネットワークのエンハンストノードＢ（ｅＮＢ）の、ＴＤＤ構成を有する前記プライマリサービングセル（ＰＣｅｌｌ）およびＦＤＤ構成を有するセカンダリサービングセル（ＳＣｅｌｌ）への接続を確立し、
前記ＳＣｅｌｌによって用いられているダウンリンクデータサブフレームのタイプを分類し、タイプ１のダウンリンクデータサブフレームは、前記ＰＣｅｌｌ上および前記ＳＣｅｌｌ上の両方のダウンリンクデータサブフレームであるサブフレーム、または、クロスキャリアスケジューリング構成の場合、スケジューリングセル上およびスケジューリングされたセル上の両方のダウンリンクデータサブフレームであるサブフレームを有し、１より大きい数のＴＤＤサービングセルが構成され、前記構成されたスケジューリングセルは前記ＰＣｅｌｌではない、および／または、タイプ２のダウンリンクデータサブフレームは、前記ＳＣｅｌｌ上のみにあるダウンリンクであるサブフレームを含み、
前記ＳＣｅｌｌから受信されたダウンリンクデータサブフレームの前記タイプに基づき、前記ＳＣｅｌｌから受信されたダウンリンクデータと共に使用するためのハイブリッド自動再送要求（ＨＡＲＱ）タイミングシーケンス構成を選択するように構成されるベースバンド回路と、
前記ＰＣｅｌｌおよび前記ＳＣｅｌｌを通じて前記ダウンリンクデータを受信し、
前記ＰＣｅｌｌへの前記接続を介したアップリンク（ＵＬ）サブフレームにおいて、前記選択されたハイブリッド自動再送要求（ＨＡＲＱ）タイミングシーケンス構成に従い、前記ＳＣｅｌｌから受信した前記ダウンリンクデータサブフレームに関連付けられる確認応答情報を送信するトランシーバ回路と
を備え、
前記ＰＣｅｌｌは前記タイプ１のダウンリンクデータサブフレームを用い、前記ＳＣｅｌｌは、前記タイプ１のダウンリンクデータサブフレーム及び前記タイプ２のダウンリンクデータサブフレームを用い、
肯定応答／否定応答（ＡＣＫ／ＮＡＣＫ）を送信するためのタイミングシーケンス構成は、前記ＰＣｅｌｌ上の前記ＵＬサブフレームで送信される前記ＳＣｅｌｌ上のＤＬサブフレームに対するＡＣＫ／ＮＡＣＫと関連付けられる値ｋを含む表を有し、サブフレームｎのＵＬ  ＡＣＫ／ＮＡＣＫ送信はサブフレームｎ−ｋに属し、ｋ＞＝４である、
装置。
【請求項２】
前記表は、
【表９】
0006579713.tif 000010
を有し、前記表は、ＳＣｅｌｌ上のＦＤＤに対するダウンリンク関連セットインデックスＫを示し、ｋ∈Ｋである、請求項１に記載の装置。
【請求項３】
前記タイミングシーケンス構成のＤＬ基準ＵＬ／ＤＬ構成は、以下の表により規定される、
【表１０】
0006579713.tif 000011
請求項２に記載の装置。
【請求項４】
前記処理回路は更に、ダウンリンクデータサブフレームの前記タイプに基づき、前記ＰＣｅｌｌによって使用されるためのハイブリッド自動再送要求（ＨＡＲＱ）タイミングシーケンス構成を選択するように構成される
請求項１から３のいずれか一項に記載の装置。
【請求項５】
前記処理回路は更に、前記ＰＣｅｌｌがＴＤＤで構成される場合は、受信された第１のシステム情報ブロック（ＳＩＢ１）において示されるＰＣｅｌｌ  ＴＤＤアップリンクダウンリンクタイミングシーケンス構成に基づき、前記ＰＣｅｌｌ上で使用されるためのハイブリッド自動再送要求（ＨＡＲＱ）タイミングシーケンス構成を選択するように構成される
請求項１から４のいずれか一項に記載の装置。
【請求項６】
ｉ）ｋ＞＝４であるサブフレームｎ−ｋにおけるＤＬデータ送信のための前記選択されたＨＡＲＱタイミングシーケンス構成は、ＰＣｅｌｌ上の第１の利用可能なＵＬサブフレームｎにおいてＨＡＲＱを送信することを備え、または、
ｉｉ）ｋ＞＝４であるサブフレームｎ−ｋにおけるＤＬデータ送信のための選択された前記ＨＡＲＱタイミングシーケンス構成は、複数の利用可能なＵＬサブフレームに渡る分散された様式で、ＰＣｅｌｌ上の利用可能なＵＬサブフレームｎにおいてＨＡＲＱを送信することを備える
請求項１から５のいずれか一項に記載の装置。
【請求項７】
前記処理回路は、前記選択されたハイブリッド自動再送要求（ＨＡＲＱ）タイミングシーケンス構成に従い、前記ダウンリンクデータに関連付けられる確認応答情報を送信するように構成され、前記ＰＣｅｌｌ上の物理アップリンク共有チャネル（ＰＵＳＣＨ）上で確認応答情報を送信するように構成されることを備える
請求項１から６のいずれか一項に記載の装置。
【請求項８】
前記処理回路は、ＰＣｅｌｌ上のＰＵＳＣＨまたは物理アップリンク制御チャネル（ＰＵＣＣＨ）のＵＬサブフレーム上で、ＰＣｅｌｌ  ＰＤＳＣＨまたはＳＣｅｌｌ  ＰＤＳＣＨのために送信することを含む確認応答情報を送信するように構成される
請求項１から６のいずれか一項に記載の装置。
【請求項９】
コンピューティングデバイスに、
ユーザ機器（ＵＥ）が、エンハンストノードＢ（ｅＮＢ）の、ＴＤＤ構成を有するプライマリサービングセル（ＰＣｅｌｌ）、および、ＦＤＤ構成を有するセカンダリサービングセル（ＳＣｅｌｌ）を結合する手順であって、前記ＰＣｅｌｌはタイプ１のダウンリンクデータサブフレームを用い、前記ＳＣｅｌｌは、前記タイプ１のダウンリンクデータサブフレームおよびタイプ２のダウンリンクデータサブフレームを用いる、手順と、
前記ＵＥが、前記ＰＣｅｌｌおよび前記ＳＣｅｌｌを通じてダウンリンクデータを受信する手順と、
前記ＳＣｅｌｌによって用いられているダウンリンクデータサブフレームのタイプを分類する手順であって、前記タイプ１のダウンリンクデータサブフレームは、前記ＰＣｅｌｌ上および前記ＳＣｅｌｌ上の両方のダウンリンクデータサブフレームであるサブフレーム、または、クロスキャリアスケジューリング構成の場合、スケジューリングセル上およびスケジューリングされたセル上の両方のダウンリンクデータサブフレームであるサブフレームを有し、１より大きい数のＴＤＤサービングセルが構成され、前記構成されたスケジューリングセルは前記ＰＣｅｌｌではない、および／または、前記タイプ２のダウンリンクデータサブフレームは、前記ＳＣｅｌｌ上のみにあるダウンリンクであるサブフレームを含む、手順と、
前記ＵＥが、前記ＳＣｅｌｌから受信されたダウンリンクデータサブフレームの前記タイプに基づき、前記ＳＣｅｌｌによって使用されるためのハイブリッド自動再送要求（ＨＡＲＱ）タイミングシーケンス構成を選択する手順と、
前記ＰＣｅｌｌへの接続を介したアップリンク（ＵＬ）サブフレームにおいて、前記選択されたハイブリッド自動再送要求（ＨＡＲＱ）タイミングシーケンス構成に従い、前記ダウンリンクデータに関連付けられる確認応答情報を送信する手順と
を実行させ、
確認応答情報を送信する手順は、前記ＰＣｅｌｌ上の前記ＵＬサブフレームで送信される前記ＳＣｅｌｌ上のＤＬサブフレームに対するＡＣＫ／ＮＡＣＫと関連付けられる値ｋを含む表を有するタイミングシーケンス構成に従って肯定応答／否定応答（ＡＣＫ／ＮＡＣＫ）を送信する手順を含み、サブフレームｎのＵＬ  ＡＣＫ／ＮＡＣＫ送信はサブフレームｎ−ｋに属し、ｋ＞＝４である
プログラム。
【請求項１０】
前記表は、
【表９】
0006579713.tif 000012
を有し、前記表は、ＳＣｅｌｌ上のＦＤＤに対するダウンリンク関連セットインデックスＫを示し、ｋ∈Ｋである、請求項９に記載のプログラム。
【請求項１１】
前記タイミングシーケンス構成のＤＬ基準ＵＬ／ＤＬ構成は、以下の表により規定される、
【表１０】
0006579713.tif 000013
請求項１０に記載のプログラム。
【請求項１２】
前記ハイブリッド自動再送要求（ＨＡＲＱ）タイミングシーケンス構成は、
ＰＣｅｌｌがＴＤＤである場合、第１のシステム情報ブロック（ＳＩＢ１）構成において示されるＰＣｅｌｌ  ＴＤＤアップリンクダウンリンクタイミングシーケンス構成により選択される
請求項９から１１のいずれか一項に記載のプログラム。
【請求項１３】
ｋ＞＝４であるサブフレームｎ−ｋにおけるＤＬデータ送信のための前記ＨＡＲＱタイミングシーケンス構成は、ＰＣｅｌｌ上の第１の利用可能なＵＬサブフレームｎにおいてＨＡＲＱを送信することを備え、または、
ｋ＞＝４であるサブフレームｎ−ｋにおけるＤＬデータ送信のための前記ＨＡＲＱタイミングシーケンス構成は、複数の利用可能なＵＬサブフレームに渡る分散された様式で、ＰＣｅｌｌ上の利用可能なＵＬサブフレームｎにおいてＨＡＲＱを送信することを備える、
請求項９から１２のいずれか一項に記載のプログラム。
【請求項１４】
請求項９から１３のいずれか一項に記載のプログラムを格納するコンピュータ可読記憶媒体。
【発明の詳細な説明】
【技術分野】
【０００１】
［関連出願の相互参照］
本願は、「ＡＤＶＡＮＣＥＤ  ＷＩＲＥＬＥＳＳ  ＣＯＭＭＵＮＩＣＡＴＩＯＮＳ  ＳＹＳＴＥＭＳ  ＡＮＤ  ＴＥＣＨＮＩＱＵＥＳ」と題する、２０１２年１２月３日出願の米国仮出願第６１／７３２，８５１号の優先権を主張し、その開示全体は参照によってこれにより組み込まれる。
【０００２】
本明細書において説明される複数の実施形態は、概して通信分野に関し、より詳細には、無線通信ネットワークにおける肯定応答タイミングの選択に関する。
【背景技術】
【０００３】
複数の無線通信における時分割デュープレクス（ＴＤＤ）システムはリソース利用において柔軟性を提供しうる。例えば、ＴＤＤシステムは無線通信セルのアップリンクおよびダウンリンクのトラフィック特性を整合させるべく、複数の異なるＴＤＤ構成を使用しうる。複数の異なるＴＤＤ構成を使用することの柔軟性は、利用可能なアップリンク（ＵＬ）リソースとダウンリンク（ＤＬ）リソースとの比が、３ＵＬ：２ＤＬから１ＵＬ：９ＤＬの範囲で変動することを可能にする。複数の無線通信における周波数分割デュープレクス（ＦＤＤ）システムもまた、リソース利用において柔軟性を提供しうる。
【０００４】
第３世代パートナーシッププロジェクト（３ＧＰＰ）ロングタームエボリューション−アドバンスト（ＬＴＥ−Ａ）通信規格のリリース１０は、複数のＴＤＤコンポーネントキャリア（ＣＣ）の集約のサポートを、複数の同一のアップリンク／ダウンリンク（ＵＬ／ＤＬ）ＴＤＤ構成に限定しうる。そのような複数の限定が規格内での設計および動作を簡素化してきた一方で、そのような限定は、より高いデータスループットの可能性を制限してきたと言ってよい。
【図面の簡単な説明】
【０００５】
本明細書において説明される複数の実施形態は、同様の参照番号が同様の要素を指す複数の添付図面の複数の図において例として示されるのであって、限定として示されるのではない。
【０００６】
【図１】様々な実施形態に係る、無線通信ネットワークを概略的に示す。
【図２】様々な実施形態に係る、無線通信ネットワークの実現例を概略的に示す。
【図３】様々な実施形態に係る、ＳＣｅｌｌのダウンリンクサブフレームの複数のタイプを概略的に示す。
【図４】第１の実施形態に係る、ＰＣｅｌｌとＳＣｅｌｌとの間のＨＡＲＱタイミング関係を概略的に示す。
【図５】第２の実施形態に係る、ＰＣｅｌｌとＳＣｅｌｌとの間のＨＡＲＱタイミング関係を概略的に示す。
【図６】第３の実施形態に係る、ＰＣｅｌｌとＳＣｅｌｌとの間のＨＡＲＱタイミング関係を概略的に示す。
【図７】様々な実施形態に係る、複数のＳＣｅｌｌダウンリンクサブフレームに対するＨＡＲＱ信号スケジューリングの選択を例示するフローチャートである。
【図８】様々な実施形態に係る、複数のＳＣｅｌｌダウンリンクサブフレームに対するＨＡＲＱ信号スケジューリングの選択を例示するフローチャートである。
【図９】様々な実施形態に係る、例となるシステムを概略的に示す。
【図１０】様々な実施形態に係る、例となるモバイルデバイスを概略的に示す。
【発明を実施するための形態】
【０００７】
本開示の複数の例示的実施形態は、限定されるものではないが、無線通信ネットワークにおける肯定応答信号のタイミングの選択のための複数の方法、複数のシステム、および複数の装置を含む。
【０００８】
複数の例示的実施形態の様々な態様は、当業者の研究の要旨を他の複数の当業者に伝えるべく彼らにより共通して用いられる複数の用語を用いて説明されるであろう。しかしながら、幾つかの代替的な実施形態が、説明される複数の実施形態のうちの１または複数の選択された部分を用いて実施されうることは、当業者には明らかであろう。説明のために、特定の複数の数、複数の材料、および複数の構成が、複数の例示的実施形態の十分な理解を提供すべく述べられる。しかしながら、複数の代替的な実施形態が、具体的な複数の詳細なしに実施されうることは、当業者には明らかであろう。他の複数の例において、複数の周知の特徴は、複数の例示的実施形態を不明瞭にしないように、省略され簡素化される。
【０００９】
更に、複数の例示的実施形態を理解する上で最も助けとなる方法で、様々な動作が順に複数の別個の動作として説明される。しかしながら、説明の特定の順序は、これらの動作が必ず順序に依存するものであると暗示していると解釈されるべきではない。具体的には、これらの動作は提示の順序で実行される必要はない。
【００１０】
「一実施形態において」という文言が繰り返し用いられる。その文言は、概して、同一の実施形態を指すものではない。しかしながら指すこともありうる。「備える（ｃｏｍｐｒｉｓｉｎｇ）」、「有する（ｈａｖｉｎｇ）」、および「含む（ｉｎｃｌｕｄｉｎｇ）」という用語は、コンテキストがそうでないと指示しない限りは同義である。「Ａ／Ｂ」という文言は、「ＡまたはＢ」を意味する。「Ａおよび／またはＢ」という文言は、「（Ａ）、（Ｂ）または（ＡおよびＢ）」を意味する。「Ａ、ＢおよびＣのうち少なくとも１つ」という文言は、「（Ａ）、（Ｂ）、（Ｃ）、（ＡおよびＢ）、（ＡおよびＣ）、（ＢおよびＣ）、または（Ａ、ＢおよびＣ）」を意味する。「（Ａ）Ｂ」という文言は、「（Ｂ）または（ＡＢ）」、すなわち、Ａは任意であることを意味する。
【００１１】
複数の特定の実施形態が本明細書において例示され説明されてきたが、本開示の複数の実施形態の範囲を逸脱することなく、多種多様な代替的および／または等価な実施例が、示され説明される複数の特定の実施形態の代替となりうることが当業者には理解されるであろう。本願は、本明細書において議論される複数の実施形態のいかなる改変または変形をも網羅することが意図される。ゆえに、本開示の複数の実施形態は、特許請求およびその等価物によってのみ限定されることが明白に意図される。
【００１２】
本明細書において用いられるように、「モジュール」という用語は、特定用途向け集積回路（ＡＳＩＣ）、電子回路、１または複数のソフトウェアまたはファームウェアの複数の命令および／または複数のプログラムを実行するプロセッサ（共有、専用、またはグループの）および／またはメモリ（共有、専用、またはグループの）、組み合わせ論理回路、および／または、説明される機能を提供する他の適切な複数の構成要素、を指しうる、の一部でありうる、または、を含みうる。
【００１３】
図１は、様々な実施形態に係る、無線通信ネットワーク１００を概略的に例示している。無線通信ネットワーク１００は、次世代ユニバーサル移動体通信システム（ＵＭＴＳ）地上波無線アクセスネットワーク（Ｅ−ＵＴＲＡＮ）などの第３世代パートナーシッププロジェクト（３ＧＰＰ）ロングタームエボリューション（ＬＴＥ）またはロングタームエボリューション−アドバンスト（ＬＴＥ−Ａ）ネットワークのアクセスネットワークでありうる。無線通信ネットワーク１００は、モバイルデバイスまたは端末、例えば、ユーザ機器（ＵＥ）１０８、と無線通信すべく構成される、基地局、例えば、エンハンストノード基地局（ｅＮＢ）１０４、を含みうる。本願発明の複数の実施形態がＬＴＥ通信ネットワークを参照して説明される一方で、幾つかの実施形態は、複数の他のタイプの無線通信／（複数の）アクセスネットワークで用いられうる。
【００１４】
ｅＮＢ１０４は、１または複数のアンテナ１３０を介してＵＥ１０８から複数の信号を受信する受信機モジュール１２０を含みうる。ｅＮＢ１０４は、１または複数のアンテナ１３０を介してＵＥ１０８へ複数の信号を送信する送信機モジュール１２４を含みうる。ｅＮＢ１０４はまた、受信機モジュール１２０と送信機モジュール１２４との間で結合され、複数の信号によって通信される情報をエンコードおよびデコードすべく構成される、プロセッサモジュール１２８を含みうる。
【００１５】
ＵＥ１０８がキャリアアグリゲーション（ＣＡ）を用いることのできる複数の実施形態において、いくつかのコンポーネントキャリア（ＣＣ）は、ｅＮＢ１０４とＵＥ１０８との間の通信のために集約されうる。初期の接続確立においては、ＵＥ１０８は、プライマリＣＣを用いて、ｅＮＢ１０４のプライマリサービングセル（ＰＣｅｌｌ）と接続しうる。この接続は、セキュリティ、モビリティ、構成、その他など様々な機能のために用いられうる。その後、ＵＥ１０８は、１または複数のセカンダリＣＣを用いて、ｅＮＢ１０４の１または複数のセカンダリサービングセル（ＳＣｅｌｌ）と接続しうる。これらの接続は、追加的な無線リソースを提供すべく用いられうる。
【００１６】
各ＣＣは、３ＧＰＰ  ＬＴＥ−アドバンスト通信規格のリリースに従って、いくつかの通信チャンネルをサポートしうる。例えば、各ＣＣはダウンリンクデータの送信するための物理ダウンリンク共有チャネル（ＰＤＳＣＨ）をサポートしうる。別の例として、各ＣＣは、ＵＥ１０８とｅＮＢ１０４との間で情報を搬送すべく、物理アップリンク制御チャネル（ＰＵＣＣＨ）または／および物理アップリンク共有チャネル（ＰＵＳＣＨ）をサポートしうる。ＣＣは、ｅＮＢ１０４とＵＥ１０８との間で情報を搬送するための、複数のアップリンクおよびダウンリンクサブフレームを含みうる。１つの１０ｍｓの無線フレームは、１０個のサブフレームを含みうる。
【００１７】
複数のＣＣは、時間領域二重化（ＴＤＤ）通信プロトコルまたは周波数領域二重化（ＦＤＤ）通信プロトコルに従って情報をトランスポートすべく構成されうる。各ＣＣは、いくつかのＴＤＤ構成またはＦＤＤ構成のうちの１つに従ってＵＥ１０８にデータをトランスポートすべく、または、ｅＮＢ１０４にデータをトランスポートすべく、スケジューリングされうる。例えば、表１を参照すると、ＴＤＤ通信プロトコルが用いられている場合、各ＣＣは、ＴＤＤ構成０―６のうちの１つに従ってデータおよび／または複数の制御信号をトランスポートすべく割り当てられうる。
【表１】
0006579713.tif 000002
表１：ＴＤＤアップリンク−ダウンリンク構成
【００１８】
プライマリＣＣおよびセカンダリＣＣは、両方とも同一のＴＤＤ構成で、または異なるＴＤＤ構成で構成されうる。一般的に、「Ｄ」または「Ｓ」でラベリングされている、表１に示されるサブフレーム０―９のそれぞれは、ＵＥ１０８がｅＮＢ１０４からデータを受信するサブフレームであり、「Ｕ」でラベリングされているサブフレーム０―９のそれぞれは、ＵＥ１０８がｅＮＢ１０４へデータを送信するサブフレームである。複数のＦＤＤシステムにとって、ダウンリンクおよびアップリンク送信は異なる周波数帯域において起こり、この周波数帯域はペアにされた周波数帯域でありうる。
【００１９】
ｅＮＢ１０４は、ＰＣｅｌｌのみによって幾つかの情報を通信すべく構成され得て、ＰＣｅｌｌまたはＳＣｅｌｌのいずれかによって他の情報を通信すべく構成されうる。例えば、ｅＮＢ１０４はＰＣｅｌｌのみを通じて、ＵＥ１０８から複数の確認応答信号を受信すべく構成されうる。様々な実施形態によると、複数の確認応答信号は、データの受信の肯定応答（ＡＣＫ）およびデータの受信の否定応答（ＮＡＣＫ）に対応する複数のハイブリッド適応再送要求（ＨＡＲＱ）信号でありうる。複数の実施形態において、ＵＥ１０８は、送信データが受信されたこと、または受信されなかったこと、をｅＮＢ１０４に通知すべく、複数のＡＣＫ／ＮＡＣＫ信号を送信するよう構成されうる。
【００２０】
ＵＥ１０８は、ｅＮＢ１０４に複数のＡＣＫ／ＮＡＣＫ信号を送信するスケジュールを決定すべく構成されうる。ＵＥ１０８は、受信機モジュール１４４、送信機モジュール１４８、プロセッサモジュール１５２、および１または複数の適切なアンテナ１５６を含みうる。受信機モジュール１４４および送信機モジュール１４８は、ｅＮＢ１０４へ／ｅＮＢ１０４から、複数の無線信号を送信および受信すべく、１または複数の適切なアンテナ１５６に結合されうる。
【００２１】
プロセッサモジュール１５２は受信機モジュール１４４および送信機モジュール１４８に結合され得て、ＵＥ１０８とｅＮＢ１０４との間で通信される複数の信号で送信される情報をデコードおよびエンコードすべく構成されうる。プロセッサモジュールは通信モジュール１５４およびＨＡＲＱモジュール１５８を含みうる。プロセッサモジュール１５２は、第１の周波数における第１のＴＤＤ構成、または第１のＦＤＤ構成のスケジューリングに従って、ＰＣｅｌｌの複数のアップリンクサブフレーム、例えば、ＣＣ＿０  １０１、で情報を送信すべく、通信モジュール１５４を使用するよう構成されうる。プロセッサモジュール１５２はまた、第１の周波数とは異なる第２の周波数における第２のＴＤＤ構成、または第２のＦＤＤ構成に従って、ＳＣｅｌｌの複数のアップリンクサブフレーム、例えば、ＣＣ＿１  １０２、で情報を送信すべく構成されうる。一実施形態によると、ＴＤＤ−ＦＤＤキャリアアグリゲーションのための帯域間または帯域内スキームに従い、ＣＣ＿０  １０１の送信周波数とＣＣ＿１  １０２の送信周波数との間の差は、数百キロヘルツから数十ギガヘルツの範囲に及ぶ。
【００２２】
この後でより詳細に説明されるように、プロセッサモジュール１５２は、ＳＣｅｌｌの、システム情報ブロック１（ＳＩＢ１）において示されるＴＤＤ  ＵＬ／ＤＬ構成とは異なるＴＤＤ  ＵＬ／ＤＬ構成、またはＦＤＤ構成、のスケジューリングによって複数のＳＣｅｌｌ通信のためのＡＣＫ／ＮＡＣＫ情報を選択的に送信すべく構成されうる。様々な実施形態において、プロセッサモジュール１５２は、既存の（例えば表１の）７つのＴＤＤ  ＵＬ／ＤＬ構成のうちの１つ、またはＦＤＤ構成に基づき、ＨＡＲＱタイミングシーケンス構成またはタイミングスケジュールを選択すべく、ＨＡＲＱモジュール１５８を使用しうる。ＨＡＲＱモジュール１５８はまた、プロセッサモジュール１５２のためにＡＣＫ／ＮＡＣＫ情報を生成しうる。ＨＡＲＱモジュールは通信モジュール１５４に結合され得て、選択されたＨＡＲＱタイミングシーケンスによって、生成されたＡＣＫ／ＮＡＣＫ情報を送信すべく通信モジュール１５４を使用するよう構成されうる。
【００２３】
本開示の様々な実施形態は、ｅＮＢが複数のコンポーネントキャリアに、（複数の）ＴＤＤ−ＦＤＤ  ＣＡ構成を含む（複数の）異なるＴＤＤ  ＵＬ−ＤＬ構成または（複数の）ＦＤＤ構成で、アップリンクおよびダウンリンクデータの（複数の）送信をスケジューリングすることを可能にしうる。これらの特徴は、通信システムが、以前の複数の通信システムより高いピークデータレートでデータ情報を送信することを有利に可能にしうる。また、そうでなければ、複数の異なるＴＤＤ  ＵＬ−ＤＬ構成または複数のＦＤＤ構成を有するＰＣｅｌｌおよびＳＣｅｌｌで送信される幾つかの情報は、ＨＡＲＱ  ＡＣＫ／ＮＡＣＫリソースの衝突をもたらしうる。
【００２４】
本明細書において開示される様々な実施形態は、ＴＤＤ−ＦＤＤキャリアアグリゲーションのコンテキストにおいて説明され、複数の通信用に、ＵＥ１０８およびｅＮＢ１０４が、それぞれのコンポーネントキャリアを備える２またはそれより多くのサービングセルを用いる、複数の実施形態に適用可能でありうる。これらの開示される実施形態において、ＵＥ１０８は、例えば、システム情報ブロック１（ＳＩＢ１）において示されるような、第１のＴＤＤ  ＵＬ／ＤＬ構成に従い、ＰＣｅｌｌ上でｅＮＢ１０４とデータを通信すべく構成されうる。ＵＥ１０８は更に、ＳＣｅｌｌ上で送信されるデータに関連付けられるＨＡＲＱ−ＡＣＫのための第２のＴＤＤ  ＵＬ／ＤＬ構成のＨＡＲＱタイミングシーケンスによってＡＣＫ／ＮＡＣＫ情報を送信すべく構成されうる。例えば、ＳＣｅｌｌは実際には、ＴＤＤ  ＵＬ／ＤＬ構成システムまたはＦＤＤ構成システムでデプロイされうる。ＵＥ１０８は、ｅＮＢ１０４（または複数のｅＮＢ）と通信すべく構成される複数のＵＥのうちの１つでありうる。これらのおよび複数の他の実施形態は以下でさらに詳細に説明される。
【００２５】
図２は、ＴＤＤ−ＦＤＤキャリアアグリゲーション（ＣＡ）が用いられた、様々な実施形態に係る、無線通信ネットワークの実現例を概略的に示している。図２に示される無線通信ネットワークにおいて、マクロｅＮＢ２１０を通じてデプロイされるマクロセル２０５が示される。この、マクロｅＮＢ２１０は、１つのペアにされたスペクトラム、例えば、それぞれ、ダウンリンク用にＦ１、アップリンク用にＦ２、を備えるＦＤＤで構成されるシステムとして動作しているとしてよい。マクロセル２０５層のカバレッジの下、複数のスモールセル−例えば、スモールセル１  ２２０、スモールセル２  ２３０、およびスモールセル３  ２４０、は動作しうる。各スモールセル２２０―２４０は、それぞれアップリンク２１２およびダウンリンク２１３でＵＥ（例えば、モバイルデバイス）１０８と通信するｅＮＢ１０４を備えるように、図２において示されている。各スモールセル２２０―２４０のｅＮＢ１０４は、それぞれの無線通信リンク、例えば無線通信リンク２２５、２３５および２４５、で、または、光ファイバーリンク（図示せず）で、マクロｅＮＢ２１０に通信可能に結合されうる。しかしながら、任意の数または任意の形態のｅＮＢ１０４および／またはＵＥ１０８、および複数の無線通信リンク（例えば２２５―２４５）が、様々な実施形態において、実施されうる。
【００２６】
図２に示される例において、各スモールセル２２０―２４０は、同一キャリア周波数、例えばＦ３、上で、ＴＤＤで構成されたシステムで同時に動作しうる。ＦＤＤシステムで動作するサービングセル２０５、例えばＦ１／Ｆ２を備えるサービングセル２０５、がプライマリサービングセル（ＰＣｅｌｌ）として構成される場合、ＦＤＤシステムに対して定義されるＰＤＳＣＨ  ＨＡＲＱタイミングシーケンス（限定はされないが、３ＧＰＰ  ＬＴＥ−Ａ規格のリリース１０以降などの、以前のリリースにおいて特定されるような）は、ＴＤＤシステムで構成される各スモールサービングセル２２０―２３０に直接再使用されうる。一方、ＰＣｅｌｌ、例えば、図２のＦ３、として、ＴＤＤシステムで動作する（例えばスモール）サービングセルでＴＤＤ−ＦＤＤ  ＣＡをサポートするために、重要な要素は、特定のＤＬサブフレームにおけるＰＤＳＣＨ送信と、対応するＡＣＫ／ＮＡＣＫがｅＮＢ１０４に送信されるＵＬ送信との間のタイミング関係をどのように定義するか、である。
【００２７】
本明細書において説明される様々な実施形態は、無線通信ネットワーク、例えば、時分割デュープレクス−周波数分割デュープレクス（ＴＤＤ−ＦＤＤ）キャリアアグリゲーション（ＣＡ）が有効にされた無線通信ネットワーク、において、（複数の）適切な肯定応答タイミング構成を選択する複数の方法、複数のシステム、および装置を提供する。そのような複数の実施形態は、例えば、３ＧＰＰ  ＬＴＥ−Ａ規格のリリース１２（またはそれ以降）におけるＬＴＥ  ＴＤＤ−ＦＤＤ  ＣＡのサポートのための適応性のあるＨＡＲＱタイミング決定を定義する手段を例えば提供し得て、特定のＤＬサブフレームにおけるＰＤＳＣＨ送信と、対応するＡＣＫ／ＮＡＣＫが送信されるＵＬ送信との間のタイミング関係の適応性のある決定を含みうる。
【００２８】
図４から６は全て、複数の異なる実施形態による、プロセッサモジュール１５２または他の適切に構成されたハードウェアによって実行されうる例示的なＨＡＲＱ  ＡＣＫ／ＮＡＣＫ信号スケジューリング（すなわち、ＨＡＲＱ−ＡＣＫタイミングシーケンス）を示している。これらは、開示される複数の異なるＨＡＲＱ  ＡＣＫ／ＮＡＣＫ信号スケジューリングスキームの完全な列挙ではなく、考えられる少数の異なるシナリオを示しているに過ぎない。本明細書において含まれる表３−８は、説明される複数の異なる実施形態による、ＨＡＲＱ  ＡＣＫ／ＮＡＣＫ信号スケジューリングシナリオのより完全なセット（例えば、大部分）を示していると考えられうる。図４から６のそれぞれは、注記されたＴＤＤ  ＵＬ／ＤＬ構成番号（例えば、表１に示される＃１、＃６、等）で構成されるＰＣｅｌｌと、ＦＤＤまたはＴＤＤ構成で構成される対応するＳＣｅｌｌと、を示す。複数のライン４００のそれぞれは、ダウンリンクデータサブフレームまたはスペシャルデータサブフレームと、対応するＡＣＫ／ＮＡＣＫ情報／メッセージをＵＥ１０８からｅＮＢ１０４へ返すように搬送すべく指定される対応するアップリンクサブフレームとの間のリンクを表す。
【００２９】
第１のセットの実施形態は、型固有のＨＡＲＱタイミングシーケンス関係が、ＦＤＤ（またはＴＤＤ）構成でデプロイされるサービングセル上で複数のダウンリンクデータサブフレーム（例えば、複数のＰＤＳＣＨサブフレーム）に対して遵守される適切なＨＡＲＱ−ＡＣＫタイミングシーケンスを選択する装置、例えば、ＵＥ装置（および対応する方法）を備えうる。本実施例において、全てのサブフレームはＦＤＤ  ＤＬ周波数帯域上の複数のダウンリンクサブフレームでありうる。
【００３０】
図３は様々な実施形態に係る、ＳＣｅｌｌのダウンリンクサブフレームの複数のタイプを概略的に示している。図３において、ダウンリンクＣＡに焦点を当てた一般的なＴＤＤ−ＦＤＤ  ＣＡモデルは、プライマリサービングセル（ＰＣｅｌｌ）がＴＤＤシステムで、構成＃１（上記、表１から）で、デプロイされ、かつ、セカンダリサービングセル（ＳＣｅｌｌ）が、対応するＦＤＤ構成を有するＦＤＤシステムであるという仮定で提供される。図３に示されるフレーム構造は、ＳＣｅｌｌ上の全てのサブフレームがダウンリンク送信に利用可能であると仮定する。ＳＣｅｌｌはＦＤＤであるように示されているが、複数の他の実施形態は、全てのサブフレームがＤＬサブフレームであるＴＤＤ  ＵＬ／ＤＬ構成で構成されるＳＣｅｌｌを使用しうる。
【００３１】
２つのタイプのダウンリンクサブフレーム、すなわち、複数のタイプ１ダウンリンクサブフレーム、および複数のタイプ２ダウンリンクサブフレーム、は、ＳＣｅｌｌ上で用いられうる。これらの２つのタイプのダウンリンクサブフレームは、図３に示され、例えば、対応するＰＣｅｌｌ上で用いられているサブフレームの対応するタイプに応じて、定義されうる。図３において、１０個（例えば、＃０−＃９）のサブフレームを含み、サブフレームインデックス３０１でインデキシングされた例示的なＰＣｅｌｌ無線フレーム１０１、および、やはり１０個（例えば、＃０−＃９）のサブフレームを含み、同一のサブフレームインデックス３０１でインデキシングされた対応する例示的なＳＣｅｌｌ無線フレーム１０２が示されている。  ＰＣｅｌｌ無線フレーム１０１およびＳＣｅｌｌ無線フレーム１０２は、ＴＤＤ−ＦＤＤ  ＣＡを形成すべく（図３に示される例においては、ダウンリンクの、しかし複数の代替的実施形態はアップリンクの、ＴＤＤ−ＦＤＤ  ＣＡ構成を含みうる）、適切なキャリアアグリゲーションを用いて１つのＵＥ１０８によって使用されるように、集約されうる。
【００３２】
タイプ１ＤＬサブフレーム３１０は、ＰＣｅｌｌ上およびＳＣｅｌｌ上の両方にあるＤＬであるサブフレームとして定義されうる。代替的にまたは追加的に、例えば、１より大きい数の（複数の）ＴＤＤサービングセルが無線通信ネットワークにおいて使用されるべく構成され得て、構成されたスケジューリングセルがＰＣｅｌｌではない場合のクロスキャリアスケジューリングの場合、タイプ１ＤＬサブフレームは、スケジューリングセル上およびスケジューリングされたセル上の両方にあるＤＬであるサブフレームとして定義されうる。タイプ２ＤＬサブフレーム３２０は、図３において示されるようなＴＤＤ−ＦＤＤ  ＣＡの場合の、ＳＣｅｌｌ上のみにあるＤＬであるサブフレームとして定義されうる。一般的に、ＳＣｅｌｌ上の全てのＤＬサブフレームはこれら２つのタイプのＤＬサブフレームのうちの１つとして定義されうる。
【００３３】
ゆえに、図３において概略的に例示されるＴＤＤ−ＦＤＤ  ＣＡの場合などの様々な実施形態において、上述したＤＬサブフレームタイプの複数の定義によると、サブフレーム＃０、＃１、＃４、＃５、＃６、および＃９はタイプ１ＤＬサブフレームであり、サブフレーム＃２、＃３、＃７、および＃８はタイプ２ＤＬサブフレームである。
【００３４】
様々な実施形態において、ＵＥ１０８が１より大きい数のサービングセルで構成される場合、および、少なくとも１つのサービングセルが、３ＧＰＰ  ＬＴＥ規格の以前のリリース（例えば、リリース８／９／１０／１１）からのＴＤＤ  ＵＬ／ＤＬ構成でデプロイされ、一方で他方のサービングセルが、例えば、全ＤＬ  ＴＤＤ構成またはＦＤＤ構成システムでデプロイされる場合、並びに、３ＧＰＰ  ＬＴＥ規格の以前のリリース（例えば、リリース８／９／１０／１１）からのＴＤＤ  ＵＬ／ＤＬ構成でデプロイされるサービングセルがＰＣｅｌｌとして設定される場合、ＰＣｅｌｌおよびＳＣｅｌｌのＰＤＳＣＨ  ＨＡＲＱタイミングシーケンス構成（すなわち関係）はそれぞれ以下のように定義されうる：
ａ）対応するＰＣｅｌｌダウンリンクチャネル（例えば、ＰＤＳＣＨ）のＨＡＲＱタイミングシーケンス構成はＰＣｅｌｌのＳＩＢ１  ＵＬ／ＤＬ構成に従いうる。
ｂ）ＦＤＤまたは全ＤＬ  ＴＤＤ構成でデプロイされる対応するＳＣｅｌｌダウンリンクチャネル（例えば、ＰＤＳＣＨ）に関して、概して、対応する制御チャネル（例えば、ＰＤＣＣＨ）上で検出によって示されるダウンリンクチャネル（例えば、ＰＤＳＣＨ）送信があるか、または、ｋ∈Ｋであり、Ｋ（例えば、以下の表３から表５において定義されるような）は、サブフレームｎ、ＰＣｅｌｌ上のＵＬ／ＤＬタイミングシーケンス構成に応じる１セットのＭ要素｛ｋ０、ｋ１、...ｋＭ−１｝であり、原理（以下で説明される）が遵守されるサブフレームｎ−ｋ内でダウンリンクセミパーシステントスケジューリング（ＳＰＳ）リリースを示す対応する制御チャネル（例えば、ＰＤＣＣＨ）上で情報の検出がある場合、以下に列挙されるＨＡＲＱタイミングシーケンス原理は遵守される。
ｉ）対象のＳＣｅｌｌダウンリンクサブフレームがタイプ１ＤＬサブフレームである場合、ＨＡＲＱ−ＡＣＫタイミングシーケンスは、クロスキャリアスケジューリングまたは自己スケジューリング構成に関わらず、ＰＣｅｌｌのＳＩＢ１  ＴＤＤ構成に従い得て、または代替的に、表２に示されるように、クロスキャリアスケジューリングの場合、スケジューリングセルのＳＩＢ１  ＴＤＤ構成およびＰＣｅｌｌのＳＩＢ１構成によって共同して決定されるＤＬ基準ＵＬ／ＤＬ構成に従いうる。
【表２】
0006579713.tif 000003
表２：（プライマリセルＵＬ／ＤＬ構成、スケジューリングセルＵＬ／ＤＬ構成）によって形成されるペアに基づくＦＤＤ  ＤＬ  ＳＣｅｌｌ上のＰＤＳＣＨ  ＨＡＲＱ−ＡＣＫに対するＤＬ基準ＵＬ／ＤＬ構成。
【表３】
0006579713.tif 000004
表３：ＳＣｅｌｌ上のＦＤＤに対するダウンリンク関連セットインデックスＫ：｛ｋ０、ｋ１、...ｋＭ−１｝。注記：「ｘ」は、複数のタイプ２ＤＬサブフレームに対するＨＡＲＱ−ＡＣＫタイミングシーケンスであり、「ｙ」（すなわち、下線を引かれていない）は、複数のタイプ１ＤＬサブフレームに対するＨＡＲＱ−ＡＣＫタイミングシーケンスである。
ｉｉ）対象のＳＣｅｌｌダウンリンクサブフレームがタイプ２ダウンリンクサブフレームである場合、新しいＨＡＲＱ−ＡＣＫタイミングシーケンスは、下に説明される、以下の複数の異なる代替例（代替例１および代替例２）によって定義されうる。
代替例１：ｋ＞＝４である、サブフレームｎ−ｋにおけるダウンリンクチャネル（例えば、ＰＤＳＣＨ）送信に対するＨＡＲＱ−ＡＣＫは、対応するＰＣｅｌｌ上の第１の利用可能なＵＬサブフレームｎにおいて送信されうる。これは、待ち時間の視点からいうと好適であると言ってよい。正確なＨＡＲＱ−ＡＣＫタイミングシーケンスは、ＰＣｅｌｌ上で用いられている既存の７個のＴＤＤ  ＵＬ／ＤＬ構成のそれぞれに対応する表３に個々にまとめられうる。
【００３５】
一実施形態において、図４に示すように、２つのキャリアは、それぞれのＵＥ（すなわち、説明される複数の実施形態での任意の与えられたポイントにおける「対象のＵＥ」）のために構成され得て、ＰＣｅｌｌおよびＳＣｅｌｌと示される。ＰＣｅｌｌおよびＳＣｅｌｌは、ＦＤＤ構成システムがＳＣｅｌｌ上で用いられうる一方で、ＴＤＤ構成＃１（表１参照）が、ＰＣｅｌｌ上でデプロイされるように構成されうる。
【００３６】
まず、ＳＣｅｌｌ上の複数のダウンリンクサブフレームは、上記のタイプ１およびタイプ２のダウンリンクチャネル（例えば、ＰＤＳＣＨ）サブフレームの定義に従い分類されうる。図４および図５において示される複数の実施形態において、タイプ１ＤＬサブフレームセットは、サブフレーム＃０、＃１、＃４、＃５、＃６およびサブフレーム＃９を含み、タイプ２ＤＬサブフレームセットはサブフレーム＃２、＃３、＃７、およびサブフレーム＃８を含む。
【００３７】
ＳＣｅｌｌ上の複数のタイプ１ＤＬサブフレームの全てのＨＡＲＱ−ＡＣＫタイミングシーケンスは、ＰＣｅｌｌ  ＵＬ／ＤＬ  ＳＩＢ１構成に従いうる。
【００３８】
図４の複数のタイプ２ＤＬサブフレームについて、表３によると、サブフレーム＃２および＃３のＨＡＲＱ−ＡＣＫは、ＰＣｅｌｌ上の同一の無線フレームのサブフレーム＃７上で送信されうる。一方で、ＳＣｅｌｌ上のサブフレーム＃７および＃８のＨＡＲＱ−ＡＣＫは、ＰＣｅｌｌ上の次の無線フレームのサブフレーム＃２上で送信されうる。
【００３９】
代替例１の１つの欠点は、ＰＵＣＣＨのオーバーヘッドが、ＰＣｅｌｌ上の全てのアップリンクサブフレームに渡って分散されないということであると言ってよい。結果的に、それはアップリンク非適応再送を考慮するｅＮＢのスケジューラの設計を複雑化させうる。この欠点に対処すべく、幾つかの実施形態が以下の代替的解決方法を使用しうる。
代替例２：幾つかの実施形態において、複数の異なるＤＬサブフレームの複数のＡＣＫ／ＮＡＣＫを可能な限り均等に分散させることが、より有用でありうる。ｋ＞＝４である、サブフレームｎ−ｋにおけるダウンリンクチャネル（例えば、ＰＤＳＣＨ）送信に対するＨＡＲＱ−ＡＣＫは、アップリンクサブフレームｎにおいて送信されうる。正確なＨＡＲＱ−ＡＣＫタイミングシーケンスが表４にまとめられうる。
【表４】
0006579713.tif 000005
表４：ＳＣｅｌｌ上のＦＤＤに対するダウンリンク関連セットインデックスＫ：｛ｋ０、ｋ１、...ｋＭ−１｝。注記：「ｘ」は、複数のタイプ２ＤＬサブフレームに対するＨＡＲＱ−ＡＣＫタイミングシーケンスであり、「ｙ」（すなわち、下線を引かれていない）は、複数のタイプ１ＤＬサブフレームに対するＨＡＲＱ−ＡＣＫタイミングシーケンスである。
【００４０】
図５は、ＴＤＤ構成＃１がＰＣｅｌｌ上で用いられていると仮定するＨＡＲＱ−ＡＣＫ分散の一例を提供している。予想されうるように、この代替例２の方法で、アップリンクチャネル（例えば、ＰＵＣＣＨ）ペイロード全体は、可能な限り均等に分散される。一方で、代替例２の方法に起因する１つの問題は、ＳＣｅｌｌ上で用いられるあらゆる連続するＨＡＲＱプロセスに対する待ち時間の公平性の確保における若干の困難であると言ってよい。例えば、図６に示されるように、ＤＬサブフレーム＃１  ６０１上のダウンリンクチャネル（例えば、ＰＤＳＣＨ）は、サブフレーム＃２  ６０２上のダウンリンクチャネル（例えば、ＰＤＳＣＨ）より先に送信されうる。しかしながら、ダウンリンクサブフレーム＃１  ６０１の対応するＨＡＲＱ−ＡＣＫは、ダウンリンクサブフレーム＃２  ６０２のＨＡＲＱ−ＡＣＫより後にフィードバックされうる。これは、クロスオーバーポイント６０３として図６に示される。この問題は、ＴＤＤ  ＵＬ／ＤＬ構成＃６  １０３がＰＣｅｌｌ上で用いられている場合に対して選択肢１または選択肢２が適用される場合に、少なくとも観測されうる。この公平性の問題に対処すべく、以下に説明される複数の更なる実施形態は、表５にまとめられるように、問題を含む場合に焦点を当てた追加的なＨＡＲＱ−ＡＣＫタイミングシーケンス選択の設計を提供しうる。
【表５】
0006579713.tif 000006
表５：ＴＤＤ構成＃６がＰＣｅｌｌ上で用いられている場合における、ＳＣｅｌｌ上のＦＤＤに対するダウンリンク関連セットインデックスＫ：｛ｋ０、ｋ１、...ｋＭ−１｝。注記：「ｘ」は、複数のタイプ２ＤＬサブフレームに対するＨＡＲＱ−ＡＣＫタイミングシーケンスであり、「ｙ」（すなわち、下線を引かれていない）は、複数のタイプ１ＤＬサブフレームに対するＨＡＲＱ−ＡＣＫタイミングシーケンスである。
【００４１】
第２のセットの実施形態はまた、ＦＤＤ  ＤＬ（またはＴＤＤ）構成でデプロイされたサービングセル上の複数のダウンリンクデータサブフレーム（例えば、複数のＰＤＳＣＨサブフレーム）に対して、型固有のＨＡＲＱタイミングシーケンス関係が遵守される適切なＨＡＲＱ−ＡＣＫタイミングシーケンスを選択する装置、例えば、ＵＥ装置、（および対応する方法）も備える。本実施例において、全てのサブフレームはダウンリンクである。
【００４２】
第１のセットの実施形態と同様に、これらの代替的実施形態においては、ＰＣｅｌｌダウンリンクチャネル（例えば、ＰＤＳＣＨ）のＨＡＲＱタイミングシーケンスは、３ＧＰＰ  ＬＴＥ規格の以前のリリース（例えば、リリース８／９／１０／１１）からのＴＤＤ  ＵＬ／ＤＬ構成でありうる、ＰＣｅｌｌのＳＩＢ１  ＵＬ／ＤＬ構成に従う。これらの第２のセットの実施形態において、ＳＣｅｌｌ上のダウンリンクチャネル（例えば、ＰＤＳＣＨ）送信に対するＨＡＲＱタイミングシーケンスは、先の複数の実施形態とは異なって決定されうる。例えば、ｋ＞＝４である、サブフレームｎ−ｋにおけるＳＣｅｌｌ上のダウンリンクチャネル（例えば、ＰＤＳＣＨ）送信のＨＡＲＱ−ＡＣＫは、ＰＣｅｌｌ上の第１の利用可能なＵＬサブフレームｎにおいて送信されうる。ここで、ｋの複数の適切な値は、（ＳＣｅｌｌ上の）ＤＬサブフレームのタイプに関係なく決定される。
【００４３】
ダウンリンクチャネル（例えば、ＰＤＳＣＨ）送信が、対応する制御チャネル（例えば、ＰＤＣＣＨ）上で検出によって示されるか、または、ｋ∈Ｋであり、Ｋ（例えば、下記表６または表７において定義されるような）は、サブフレームｎ、ＰＣｅｌｌ上のＵＬ／ＤＬ構成に応じる１セットのＭ要素｛ｋ０、ｋ１、...ｋＭ−１｝である、サブフレームｎ−ｋ内でダウンリンクセミパーシステントスケジューリング（ＳＰＳ）リリースを示す対応する制御チャネル（例えば、ＰＤＣＣＨ）上で情報の検出がある実施形態について、対応するＨＡＲＱ−ＡＣＫはＰＣｅｌｌ上のアップリンクサブフレームｎにおいて送信されうる。正確なＨＡＲＱ−ＡＣＫタイミングシーケンスが表６によりまとめられうる。
【表６】
0006579713.tif 000007
表６：代替的実施形態による、ＳＣｅｌｌ上のＦＤＤに対するダウンリンク関連セットインデックスＫ：｛ｋ０、ｋ１、...ｋＭ−１｝。
【００４４】
幾つかの実施形態において、複数のＨＡＲＱ−ＡＣＫペイロードは、表６の方法で、ＰＣｅｌｌ上の全てのアップリンクサブフレームに渡って均等に分散され得ない。例えば、ＰＣｅｌｌ上のサブフレーム＃２だけに大部分が集中されるＳＣｅｌｌからの複数のＨＡＲＱ−ＡＣＫペイロードは、アップリンクセミパーシステントスケジューリング（ＳＰＳ）アップリンクチャネル構成またはリソース割り当て（例えば、ＰＵＳＣＨ構成およびＰＵＣＣＨリソース割り当て）を結果的に複雑化させうる。ゆえに、幾つかの更なる実施形態において、より均等に分散された複数のＨＡＲＱ−ＡＣＫ応答を提供すべく、表７のＨＡＲＱタイミングシーケンス構成が選択的に用いられうる。
【表７】
0006579713.tif 000008
表７：更なる代替的実施形態による、ＳＣｅｌｌ上のＦＤＤに対するダウンリンク関連セットインデックスＫ：｛ｋ０、ｋ１、...ｋＭ−１｝。
【００４５】
表７の例に示されるように、２つのＨＡＲＱ−ＡＣＫタイミングシーケンス関係の候補が、ＵＬ／ＤＬ  ＴＤＤ構成＃３がＰＣｅｌｌ上で用いられている場合に対して（選択的に）用いられうる。概して、選択肢１は、ＳＣｅｌｌのみからのＨＡＲＱ−ＡＣＫペイロードを均等に分散し、一方で、選択肢２は、ＰＣｅｌｌおよびＳＣｅｌｌの両方からのＨＡＲＱ−ＡＣＫペイロード全体を考慮する。選択肢１は、幾つかのダウンリンクチャネル（例えば、ＰＤＳＣＨ）の（複数の）再送に対するわずかに短い待ち時間を提供するが、複数のＨＡＲＱ−ＡＣＫペイロードは選択肢２と同じように均等には分散され得ない。
【００４６】
ＰＣｅｌｌダウンリンクチャネル（例えば、ＰＤＳＣＨ）のＨＡＲＱタイミングシーケンスは、３ＧＰＰ  ＬＴＥ規格の以前のリリース（例えば、リリース８／９／１０／１１）と同一でありうるＰＣｅｌｌのＳＩＢ１  ＵＬ／ＤＬ構成に従いうる。ＳＣｅｌｌ上のダウンリンクチャネル（例えば、ＰＤＳＣＨ）について、用いられているＨＡＲＱ−ＡＣＫタイミングシーケンス構成は、表８に示されるように、ＰＣｅｌｌ上で用いられているＵＬ／ＤＬ構成のＤＬからＵＬへのスイッチポイント周期に依存する、１つのＤＬ基準ＵＬ／ＤＬ構成に従いうる。この解決方法は、概して、無線通信ネットワークの特定の配置に依存する、与えられた仕様／実装努力／コスト、対、所望のダウンリンクスループット性能−すなわちそれはトレードオフである、を考慮し、それぞれのＴＤＤ−ＦＤＤ  ＣＡシナリオに対して用いられるべき複数のＤＬサブフレームの一部分に備えるだけでありうる。
【表８】
0006579713.tif 000009
表８：更なる代替的実施形態による、ＰＣｅｌｌ上のＤＬからＵＬへのスイッチポイント周期に基づくＦＤＤで構成されたダウンリンクＳＣｅｌｌ上のダウンリンクチャネル（例えば、ＰＤＳＣＨ）ＨＡＲＱ−ＡＣＫタイミングシーケンスに対するＤＬ基準ＵＬ／ＤＬ構成。
【００４７】
図７は、様々な実施形態に係る、ＨＡＲＱタイミングシーケンスを選択する（すなわち、ＨＡＲＱスケジューリング構成を選択する）方法７００を例示するフローチャートである。
【００４８】
ブロック７１０において、ＵＥ１０８は、適切なチャネルを通じて、第１のＴＤＤ構成または第１のＦＤＤ構成を有するＰＣｅｌｌへの接続を確立（すなわち、結合）し、適切なチャネルを通じて、第２のＴＤＤ構成または第２のＦＤＤ構成を有するＳＣｅｌｌへの接続を確立（すなわち、結合）しうる。幾つかの実施形態において、ＵＥ１０８は、基地局、例えば、ｅＮＢ１０４からのＳＩＢ１ブロードキャストにおいて受信される情報に基づき、第１のＴＤＤ構成または第２のＦＤＤ構成を有するＰＣｅｌｌへの接続を確立しうる。幾つかの実施形態において、ＵＥ１０８は、ＰＣｅｌｌを通じた無線リソース制御（ＲＲＣ）シグナリングにおいて、ｅＮＢ１０４から受信される情報に基づき、第２のＴＤＤ構成または第２のＦＤＤ構成を有するＳＣｅｌｌへの接続を確立しうる。
【００４９】
ブロック７２０において、ＵＥ１０８は、ＰＣｅｌｌおよびＳＣｅｌｌを通じて、すなわち、ＰＣｅｌｌおよびＳＣｅｌｌそれぞれから提供されるダウンリンクチャネルを通じて、ダウンリンクデータを受信しうる。
【００５０】
ブロック７３０において、ＵＥ１０８は、ＳＣｅｌｌによって（および、幾つかの実施形態においては、選択的にＰＣｅｌｌによって）用いられているダウンリンクデータサブフレームのタイプを決定しうる。これらは、上述されたタイプ１およびタイプ２のダウンリンクサブフレームタイプと呼ばれうる。
【００５１】
ブロック７４０において、ＵＥ１０８は、ＳＣｅｌｌによって用いられているダウンリンクデータサブフレームのタイプに基づき、ハイブリッド自動再送要求（ＨＡＲＱ）タイミングシーケンス構成（ＰＣｅｌｌおよび／またはＳＣｅｌｌ上で使用されるための）を選択しうる。
【００５２】
ブロック７５０において、ＵＥ１０８は、ＰＣｅｌｌ上の選択されたハイブリッド自動再送要求（ＨＡＲＱ）タイミングシーケンス構成に従い、ダウンリンクデータに関連付けられる肯定応答情報を送信しうる。様々な実施形態によると、ＵＥ１０８は方法７００を実行しうる。
【００５３】
図８は、様々な実施形態に係る、ハイブリッド自動再送要求（ＨＡＲＱ）タイミング構成を選択する方法８００を例示するフローチャートである。様々な実施形態によると、ＵＥ１０８は、方法７００の代わりとして、または方法７００と組み合わせて、方法８００を実行しうる。
【００５４】
ブロック８１０において、上で議論されたように、ＵＥ１０８は、ＳＣｅｌｌの複数のコンポーネントキャリアの各ダウンリンクサブフレームを、タイプ１サブフレームまたはタイプ２サブフレームと特定しうる。
【００５５】
ブロック８２０において、ＵＥ１０８はＳＣｅｌｌからダウンリンクサブフレームを選択しうる。
【００５６】
ブロック８３０において、ＵＥ１０８はダウンリンクサブフレームがタイプ１かどうか決定しうる。ダウンリンクサブフレームがタイプ1の場合８３５、方法８００はブロック８４０へ進む。
【００５７】
ブロック８４０において、ＵＥ１０８は、ＰＣｅｌｌのＳＩＢ１からのＰＣｅｌｌのＴＤＤ構成のタイミングシーケンススケジュールに従い（および、クロスキャリア構成がそれぞれの無線通信ネットワーク上で用いられている場合は、さらにスケジューリングセルのＳＩＢ１  ＴＤＤ構成を考慮して）、選択されたダウンリンクサブフレームに対する複数のＡＣＫ／ＮＡＣＫ信号を送信する。方法８００はそれから次のダウンリンクサブフレームについてブロック８１０に戻る８１５。
【００５８】
ブロック８３０に戻って、ダウンリンクサブフレームがタイプ１でない場合８３６、方法８００はブロック８５０へ進み、ＰＣｅｌｌ  ＵＬ／ＤＬ構成＃６が用いられているかどうか決定する。ＰＣｅｌｌ  ＵＬ／ＤＬ構成＃６が用いられている場合８５５、方法はブロック８６０へ進む。ＰＣｅｌｌ  ＵＬ／ＤＬ構成＃６が用いられていない場合８５６、方法はブロック８７０へ進む。
【００５９】
ブロック８６０において、ＵＥ１０８は、表６において示されるＨＡＲＱ−ＡＣＫタイミングシーケンススケジュールに従い、選択されサブフレームに対する複数のＡＣＫ／ＮＡＣＫ信号を送信する。方法８００は、それから次のダウンリンクサブフレームについてブロック８１０に戻る８１５。
【００６０】
ブロック８７０において、ＵＥ１０８は、ＰＣｅｌｌ上の第１の利用可能なアップリンクサブフレーム（表３参照）において、ｋ＞＝４である選択されたサブフレームｎ−ｋに対する複数のＡＣＫ／ＮＡＣＫ信号を送信するか、代替的に、ＵＥ１０８は、分散された様式（表４参照）で、ｋ＞＝４である選択されたサブフレームｎ−ｋに対する複数のＡＣＫ／ＮＡＣＫ信号を送信しうる。方法８００は、それから次のダウンリンクサブフレームについてブロック８１０に戻る８１５。
【００６１】
本明細書において説明されるｅＮＢ１０４およびＵＥ１０８は、説明されたように動作すべく構成される任意の適切なハードウェアおよび／またはソフトウェアを用いてシステムに実装されうる。図９は、一実施形態に関して、１または複数のプロセッサ９４０、（複数の）プロセッサ９４０のうち少なくとも１つに結合されるシステム制御ロジック９２０、システム制御ロジック９２０に結合されるシステムメモリ９１０、システム制御ロジック９２０に結合される不揮発性メモリ（ＮＶＭ）／ストレージ９３０、およびシステム制御ロジック９２０に結合されるネットワークインタフェース９６０、を備える、例となるシステム９００を示している。システム制御ロジック９２０はまた、複数の入出力デバイス９５０に結合されうる。
【００６２】
（複数の）プロセッサ９４０は、１または複数のシングルコアまたはマルチコアプロセッサを含みうる。（複数の）プロセッサ９４０は、複数の汎用プロセッサおよび／または複数の専用プロセッサ（例えば、複数のグラフィックプロセッサ、複数のアプリケーションプロセッサ、複数のベースバンドプロセッサ、等）の任意の組み合わせを含みうる。プロセッサ９４０は、適切な複数の命令または複数のプログラムを用いて、適切なＨＡＲＱ応答タイミングシーケンスを選択する、上述された複数の装置および複数の方法を実行すべく動作可能なＨＡＲＱロジック上で、またはＨＡＲＱロジックで動作しうる。ＨＡＲＱロジックは、そのような複数の命令の形態で、ＨＡＲＱロジック部分９１５としてシステムメモリ９１０に格納され得て、または、追加的にまたは代替的に、ＨＡＲＱロジック部分９３５として（ＮＶＭ）／ストレージ９３０に格納されうる。
【００６３】
（複数の）プロセッサ９４０は、プロセッサモジュール１５２を含み得て、様々な実施形態に係る図２−８の複数の実施形態を実行すべく構成されうる。システム９００がｅＮＢ１０４を実装する一実施形態において、（複数の）プロセッサ９４０はプロセッサモジュール１２８を含み得て、ＵＥ１０８によって送信されるＨＡＲＱ  ＡＣＫ／ＮＡＣＫ情報をデコードすべく構成されうる。
【００６４】
一実施形態に関してシステム制御ロジック９２０は、（複数の）プロセッサ９４０のうち少なくとも１つ、および／または、システム制御ロジック９２０と通信する任意の適切なデバイスまたは構成要素、に任意の適切なインタフェースを提供する任意の適切な複数のインタフェースコントローラを含みうる。
【００６５】
一実施形態に関してシステム制御ロジック９２０は、システムメモリ９１０にインタフェースを提供する１または複数のメモリコントローラを含みうる。システムメモリ９１０は、例えばシステム９００に対し、データおよび／または複数の命令をロードおよびストアすべく用いられうる。一実施形態に関してシステムメモリ９１０は、例えば、適切なダイナミックランダムアクセスメモリ（ＤＲＡＭ）などの任意の適切な揮発性メモリを含みうる。
【００６６】
ＮＶＭ／ストレージ９３０は、例えば、データおよび／または複数の命令をストアすべく用いられる１または複数の有形の持続性コンピュータ可読媒体を含みうる。ＮＶＭ／ストレージ９３０は、例えば、フラッシュメモリなどの任意の適切な不揮発性メモリを含み得て、および／または、例えば、１または複数のハードディスクドライブ（ＨＤＤ）、１または複数のコンパクトディスク（ＣＤ）ドライブ、および／または１または複数のデジタル多用途ディスク（ＤＶＤ）ドライブ，などの任意の適切な不揮発性ストレージデバイスを含みうる。
【００６７】
ＮＶＭ／ストレージ９３０は、システム９００がインストールされるデバイスの物理的に一部分であるストレージリソースを含みうるか、または、それはデバイスによってアクセス可能であり得て、必ずしもデバイスの一部ではない。例えば、ＮＶＭ／ストレージ９３０はネットワークインタフェース９６０を介してネットワークを通じてアクセスされうる。
【００６８】
システムメモリ９１０およびＮＶＭ／ストレージ９３０はそれぞれ、具体的には、例えば、ＨＡＲＱロジック命令９１５および９３５の一時的および永続的なコピーをそれぞれ含みうる。ＨＡＲＱロジック命令９１５および９３５は、（複数の）プロセッサ９４０のうち少なくとも１つによって実行される場合、本明細書において説明されるように、方法７００および８００のうちの一方又は両方、または任意の他の実施形態の（複数の）方法を実装するシステム９００をもたらす複数の命令を含みうる。幾つかの実施形態において、ＨＡＲＱロジック命令９１５および９３５、または、ハードウェア、ファームウェアおよび／またはそれらのソフトウェアコンポーネントは、追加的に／代替的に、システム制御ロジック９２０、ネットワークインタフェース９６０、および／または（複数の）プロセッサ９４０に配置されうる。
【００６９】
ネットワークインタフェース９６０は、システム９００に無線インタフェースを提供して任意の他の適切なデバイスと１または複数のネットワーク（例えば、無線通信ネットワーク）を通じて通信すべく送受信機モジュール９６５を有しうる。トランシーバ９６５は受信機モジュール１４４／１２０および／または送信機モジュール１４８／１２４を実装しうる。様々な実施形態において、トランシーバ９６５はシステム９００の他の複数の構成要素と統合されうる。例えば、トランシーバ９６５は、（複数の）プロセッサ９４０のプロセッサ、システムメモリ９１０のメモリ、およびＮＶＭ／ストレージ９３０のＮＶＭ／ストレージを含みうる。ネットワークインタフェース９６０は任意の適切なハードウェアおよび／またはファームウェアを含みうる。ネットワークインタフェース９６０は、複数の入力、複数の出力の無線インタフェースを提供すべく、複数のアンテナ１５６／１３０に動作可能に結合されうる。一実施形態に関してネットワークインタフェース９６０は、例えば、ネットワークアダプタ、無線ネットワークアダプタ、電話モデム、および／または無線モデムを含みうる。
【００７０】
一実施形態に関して、（複数の）プロセッサ９４０のうち少なくとも１つは、システム制御ロジック９２０の１または複数のコントローラについてロジックと一緒にパッケージ化されうる。一実施形態に関して、（複数の）プロセッサ９４０のうち少なくとも１つは、システムインパッケージ（ＳｉＰ）を形成すべく、システム制御ロジック９２０の１または複数のコントローラについてロジックと一緒にパッケージ化されうる。一実施形態に関して、（複数の）プロセッサ９４０のうち少なくとも１つは、システム制御ロジック９２０の１または複数のコントローラについて同一ダイ上でロジックと統合されうる。一実施形態に関して、（複数の）プロセッサ９４０のうち少なくとも１つは、システムオンチップ（ＳｏＣ）を形成すべく、システム制御ロジック９２０の１または複数のコントローラについて同一ダイ上でロジックと統合されうる。
【００７１】
様々な実施形態において、複数のＩ／Ｏデバイス９５０は、システム９００とのユーザインタラクションを可能にすべく設計される複数のユーザインタフェース、システム９００とのペリフェラルコンポーネントインタラクションを可能にすべく設計される複数のペリフェラルコンポーネントインタフェース、および／または、システム９００に関係する位置情報および／または複数の環境条件を決定すべく設計される複数のセンサを含みうる。
【００７２】
図１０は、システム９００がモバイルデバイス１０００の特定の形態でＵＥ１０８を実装する実施形態を示している。
【００７３】
様々な実施形態において、複数のユーザインタフェースは、限定はされないが、ディスプレイ１０４０（例えば、液晶ディスプレイ、タッチスクリーンディスプレイ、等）、スピーカ１０３０、マイク１０９０、１または複数のカメラ１０８０（例えば、スチルカメラおよび／またはビデオカメラ）、フラッシュライト（例えば、発光ダイオードフラッシュ）、およびキーボード１０７０、を含みうる。
【００７４】
様々な実施形態において、複数のペリフェラルコンポーネントインタフェースは、限定はされないが、不揮発性メモリポート、オーディオジャック、および電源インタフェースを含みうる。
【００７５】
様々な実施形態において、複数のセンサは、限定はされないが、ジャイロセンサ、加速度計、近接センサ、環境光センサ、および測位ユニットを含みうる。測位ユニットはまた、測位ネットワークの複数の構成要素、例えば、グローバルポジショニングシステム（ＧＰＳ）衛星と通信すべく、ネットワークインタフェース９６０の一部でありうる、またはネットワークインタフェース９６０と対話しうる。
【００７６】
様々な実施形態において、システム９００は、限定はされないが、ラップトップコンピューティングデバイス、タブレットコンピューティングデバイス、ネットブック、携帯電話、その他などのモバイルコンピューティングデバイスでありうる。様々な実施形態において、システム９００はより多くの、またはより少ない構成要素および／または複数の異なるアーキテクチャを有しうる。
【００７７】
様々な実施形態は、エンハンストノードＢ（ｅＮＢ）の、第１のＴＤＤまたは第１のＦＤＤ構成を有するプライマリサービングセル（ＰＣｅｌｌ）および第２のＦＤＤまたは第２のＴＤＤ構成を有するセカンダリサービングセル（ＳＣｅｌｌ）への接続を確立し、ＰＣｅｌｌおよびＳＣｅｌｌを通じてダウンリンクデータを受信し、ＳＣｅｌｌによって用いられているダウンリンクデータサブフレームのタイプを分類し、受信されたダウンリンクデータサブフレームのタイプに基づき、ＳＣｅｌｌから受信されたダウンリンクデータで使用するためのハイブリッド自動再送要求（ＨＡＲＱ）タイミングシーケンス構成を選択し、ＰＣｅｌｌ上の選択されたハイブリッド自動再送要求（ＨＡＲＱ）タイミングシーケンス構成に従い、ダウンリンクデータに関連付けられる肯定応答情報を送信すべく構成される処理回路を備えるユーザ機器（ＵＥ）を提供しうる。
【００７８】
様々な実施形態において、処理回路は、ダウンリンクデータサブフレームのタイプに基づき、ＰＣｅｌｌによって使用されるためのハイブリッド自動再送要求（ＨＡＲＱ）タイミングシーケンス構成を選択すべく更に構成される。
【００７９】
様々な実施形態において、処理回路は、ＰＣｅｌｌがＴＤＤで構成される場合は、受信された第１のシステム情報ブロック（ＳＩＢ１）において示されるＰＣｅｌｌ  ＴＤＤアップリンクダウンリンクタイミングシーケンス構成、または、ＰＣｅｌｌがＦＤＤで構成される場合はＦＤＤ  ＨＡＲＱタイミングシーケンス構成、のいずれかに基づき、ＰＣｅｌｌ上で使用されるためのハイブリッド自動再送要求（ＨＡＲＱ）タイミングシーケンス構成を選択すべく更に構成される。
【００８０】
様々な実施形態において、ＳＣｅｌｌによって用いられているダウンリンクデータサブフレームのタイプは、第１タイプのダウンリンクデータサブフレームまたは第２タイプのダウンリンクデータサブフレームである。
【００８１】
様々な実施形態において、第１タイプのダウンリンクデータサブフレームは、ＰＣｅｌｌ上およびＳＣｅｌｌ上の両方のダウンリンクデータサブフレームであるか、またはクロスキャリアスケジューリング構成の場合はスケジューリングセル上およびスケジューリングされたセル上の両方のダウンリンクデータサブフレームであるサブフレームを備え、１より大きい数のＴＤＤサービングセルが構成されて、構成されたスケジューリングセルはＰＣｅｌｌではなく、および／または、第２タイプのダウンリンクデータサブフレームはＳＣｅｌｌ上のみにあるダウンリンクであるサブフレームを含む。
【００８２】
様々な実施形態において、ＵＥは１より大きい数のサービングセルで使用されるべく構成されており、１より大きい数のサービングセルのうち少なくとも１つがＴＤＤアップリンクダウンリンク（ＵＬ−ＤＬ）構成でデプロイされ、および、１より大きい数のサービングセルのうちのその他が異なる全ダウンリンク（全ＤＬ）ＴＤＤ構成またはＦＤＤ構成でデプロイされる場合、並びに、ＴＤＤ  ＵＬ／ＤＬ構成でデプロイされるサービングセルがＰＣｅｌｌとして設定される場合、処理回路は更に、以下のように定義される、ＰＣｅｌｌおよびＳＣｅｌｌそれぞれで使用されるＨＡＲＱタイミングシーケンス構成を選択すべく構成される。  ＦＤＤまたは全ＤＬ  ＴＤＤ構成でデプロイされるＳＣｅｌｌ上のダウンリンクチャネルについて、ダウンリンクチャネル送信が、対応するダウンリンク制御チャネルの検出によって示される場合、または、ｋ∈Ｋであり、Ｋはサブフレームｎに応じて表３から表５において定義される１セットのＭ要素｛ｋ０、ｋ１、…ｋ（Ｍ−１）｝であるサブフレームｎ−ｋ内で、ダウンリンク制御チャネルがダウンリンクセミパーシステントスケジューリング（ＳＰＳ）リリースを示す場合、処理回路は更に、ＰＣｅｌｌ上で使用されるＨＡＲＱタイミングシーケンス構成を以下のように選択すべく構成される。
ａ）ダウンリンクデータサブフレームが第１タイプのダウンリンクデータサブフレームである場合、選択されるＨＡＲＱタイミングシーケンス構成は、クロスキャリアスケジューリングまたは自己スケジューリング構成に関わらず、ＰＣｅｌｌのＳＩＢ１  ＴＤＤタイミングシーケンス構成に従うか、または代替的に、ＤＬ基準ＵＬ／ＤＬタイミングシーケンス構成に従う。ＤＬ基準ＵＬ／ＤＬ構成は、表２において示されるようなクロスキャリアスケジューリングの場合、スケジューリングセルのＳＩＢ１  ＴＤＤ構成およびＰＣｅｌｌのＳＩＢ１  タイミングシーケンス構成によって共同して決定される。
ｂ）ダウンリンクデータサブフレームが第２タイプのダウンリンクデータサブフレームである場合、使用されるべく選択されるＨＡＲＱタイミングシーケンス構成は以下の複数の異なる代替例によって定義される。
ｉ）ｋ＞＝４であるサブフレームｎ−ｋにおけるＤＬデータ送信のために選択されたＨＡＲＱタイミングシーケンス構成は、ＰＣｅｌｌ上の第１の利用可能なＵＬサブフレームｎにおけるＨＡＲＱの送信を備える。
ｉｉ）ｋ＞＝４であるサブフレームｎ−ｋにおけるＤＬデータ送信のために選択されたＨＡＲＱタイミングシーケンス構成は、複数の利用可能なＵＬサブフレームに渡る分散された様式で、ＰＣｅｌｌ上の利用可能なＵＬサブフレームｎにおけるＨＡＲＱの送信を備える。
【００８３】
様々な実施形態において、ｋ＞＝４であるＤＬサブフレームｎ−ｋに対してＳＣｅｌｌ上で使用されるためのＨＡＲＱタイミングシーケンス構成は、ＰＣｅｌｌ上の第１の利用可能なアップリンクデータサブフレームｎにおいて送信される。ｋの複数の適切な値は、ＳＣｅｌｌ上で用いられているダウンリンクデータサブフレームのタイプに関係なく決定される。
【００８４】
様々な実施形態において、ＳＣｅｌｌ上のダウンリンクチャネルについて、ＳＣｅｌｌがＦＤＤまたは全ＤＬ  ＴＤＤ構成でデプロイされる場合、ダウンリンクチャネル送信が、対応するダウンリンク制御チャネルの検出によって示される場合、または、ｋ∈Ｋであり、Ｋはサブフレームｎに応じた１セットのＭ要素｛ｋ０、ｋ１、…ｋ（Ｍ−１）｝であるサブフレームｎ−ｋ内で、ダウンリンク制御チャネルがダウンリンクＳＰＳリリースを示す場合、ＰＣｅｌｌ上で使用されるためのＵＬ／ＤＬタイミングシーケンス構成は表６および表７において定義される。
【００８５】
様々な実施形態において、ＳＣｅｌｌ上のダウンリンクチャネルについて、使用されるＨＡＲＱタイミングシーケンス構成は、表８において示されるように、ＰＣｅｌｌ上で用いられているＵＬ／ＤＬ構成のＤＬからＵＬへのスイッチポイント周期に応じて、１つのＤＬ基準ＵＬ／ＤＬ構成に従う。
【００８６】
様々な実施形態において、１つのＤＬ基準ＵＬ／ＤＬ構成は、ＰＣｅｌｌ上のＵＬ／ＤＬ構成のＤＬからＵＬへのスイッチポイント周期が５ミリ秒（ｍｓ）である場合、ＴＤＤ  ＵＬ／ＤＬ構成２である。
【００８７】
様々な実施形態において、１つのＤＬ基準ＵＬ／ＤＬ構成は、ＰＣｅｌｌ上のＵＬ／ＤＬ構成のＤＬからＵＬへのスイッチポイント周期が１０ｍｓである場合、ＴＤＤ  ＵＬ／ＤＬ構成５である。
【００８８】
様々な実施形態において、処理回路は、選択されたハイブリッド自動再送要求（ＨＡＲＱ）タイミングシーケンス構成に従い、ダウンリンクデータに関連付けられる肯定応答情報を送信すべく構成され、ＰＣｅｌｌ上の物理アップリンク共有チャネル（ＰＵＳＣＨ）上で肯定応答情報を送信すべく構成されることを備える。
【００８９】
様々な実施形態において、処理回路は、ＰＣｅｌｌ上のＰＵＳＣＨまたは物理アップリンク制御チャネル（ＰＵＣＣＨ）のＵＬサブフレーム上でＰＣｅｌｌ  ＰＤＳＣＨまたはＳＣｅｌｌ  ＰＤＳＣＨのために送信することを含む肯定応答情報を送信すべく構成される。
【００９０】
様々な実施形態において、ＰＣｅｌｌおよびＳＣｅｌｌからダウンリンクデータサブフレームを受信し、ＳＣｅｌｌから受信されたダウンリンクデータサブフレームのタイプを決定し、ダウンリンクデータサブフレームのタイプに基づき、ＳＣｅｌｌから受信されたデータに対して、ＵＥによって使用されるためのハイブリッド自動再送要求（ＨＡＲＱ）タイミングシーケンス構成を選択すべく構成される処理回路を備え、ＰＣｅｌｌおよびＳＣｅｌｌは、時分割デュープレクス−周波数分割デュープレクス（ＴＤＤ−ＦＤＤ）キャリアアグリゲーション（ＣＡ）構成でＵＥとエンハンストノードＢ（ｅＮＢ）との間でセットアップされる、ユーザ機器（ＵＥ）が提供されうる。
【００９１】
様々な実施形態において、処理回路は更に、選択されたＨＡＲＱタイミングシーケンス構成を用いる肯定応答を送信すべく構成される。
【００９２】
様々な実施形態において、処理回路は更に、ダウンリンク制御チャネル送信を検出すべく構成され、ＦＤＤまたは全ＤＬ  ＴＤＤ構成でデプロイされるＳＣｅｌｌ上のダウンリンクチャネルに関して、ダウンリンクチャネル送信が、対応するダウンリンク制御チャネルの検出によって示される場合、または、ｋ∈Ｋであり、Ｋはサブフレームｎに応じて表３から表５において定義される１セットのＭ要素｛ｋ０、ｋ１、…ｋ（Ｍ−１）｝であるサブフレームｎ−ｋ内で、ダウンリンク制御チャネルがダウンリンクセミパーシステントスケジューリング（ＳＰＳ）リリースを示す場合、ＵＥは更に、ＰＣｅｌｌのＳＩＢ１  ＴＤＤタイミングシーケンス構成によって示されるＰＣｅｌｌ上で使用されるためのＨＡＲＱタイミングシーケンス構成を選択すべく構成される。
【００９３】
様々な実施形態において、処理回路は更に、表２に従い、ＰＣｅｌｌ上で使用されるためのＨＡＲＱタイミングシーケンス構成を選択すべく構成される。
【００９４】
様々な実施形態において、処理回路は更に、表３から５のいずれかに従い、ＰＣｅｌｌ上で使用されるためのＨＡＲＱタイミングシーケンス構成を選択すべく構成される。
【００９５】
様々な実施形態において、処理回路は更に、表６または７のいずれかに従い、ＰＣｅｌｌ上で使用されるためのＨＡＲＱタイミングシーケンス構成を選択すべく構成される。
【００９６】
様々な実施形態において、処理回路は更に、表８に従い、ＰＣｅｌｌ上で使用されるためのＨＡＲＱタイミングシーケンス構成を選択すべく構成される。
【００９７】
様々な実施形態は、時分割デュープレクス−周波数分割デュープレクス（ＴＤＤ−ＦＤＤ）キャリアアグリゲーション（ＣＡ）が有効にされた無線通信ネットワークにおいて適切な肯定応答タイミング構成を選択する方法であり、ユーザ機器（ＵＥ）が、エンハンストノードＢ（ｅＮＢ）の、第１のＴＤＤまたは第１のＦＤＤ構成を有するプライマリサービングセル（ＰＣｅｌｌ）および第２のＦＤＤまたは第２のＴＤＤ構成を有するセカンダリサービングセル（ＳＣｅｌｌ）への接続を確立する手段と、ＵＥがＰＣｅｌｌおよびＳＣｅｌｌを通じてダウンリンクデータを受信する手段と、ＳＣｅｌｌによって用いられているダウンリンクデータサブフレームのタイプを分類する手段と、ＵＥがダウンリンクデータサブフレームのタイプに基づきＳＣｅｌｌによって使用されるためのハイブリッド自動再送要求（ＨＡＲＱ）タイミングシーケンス構成を選択する手段と、ＰＣｅｌｌ上の選択されたハイブリッド自動再送要求（ＨＡＲＱ）タイミングシーケンス構成に従い、ダウンリンクデータに関連付けられる肯定応答情報を送信する手段と、を備える方法を提供しうる。
【００９８】
様々な実施形態において、ＳＣｅｌｌによって用いられているダウンリンクデータサブフレームのタイプは、第１タイプのダウンリンクデータサブフレームまたは第２タイプのダウンリンクデータサブフレームであり、第１タイプのダウンリンクデータサブフレームは、ＰＣｅｌｌ上及びＳＣｅｌｌ上の両方のダウンリンクデータサブフレームであり、または、クロスキャリアスケジューリング構成の場合はスケジューリングセル上およびスケジューリングされたセル上の両方のダウンリンクデータサブフレームであるサブフレームを備え、１より大きい数のＴＤＤサービングセルが構成され、構成されたスケジューリングセルはＰＣｅｌｌではない。  追加的にまたは代替的に、第２タイプのダウンリンクデータサブフレームは、ＳＣｅｌｌ上のみにあるダウンリンクであるサブフレームを含む。
【００９９】
様々な実施形態において、ＵＥが１より大きい数のサービングセルで使用されるべく構成される場合、および、１より大きい数のサービングセルのうち少なくとも１つがＴＤＤアップリンクダウンリンク（ＵＬ−ＤＬ）構成でデプロイされ、１より大きい数のサービングセルのうちのその他が異なる全ダウンリンク（全ＤＬ）ＴＤＤ構成またはＦＤＤ構成でデプロイされる場合、並びに、ＴＤＤ  ＵＬ／ＤＬ構成でデプロイされるサービングセルがＰＣｅｌｌとして設定される場合、ＰＣｅｌｌおよびＳＣｅｌｌそれぞれで使用されるべく設定されるＨＡＲＱタイミングシーケンス構成は、以下のように定義される。ＦＤＤまたは全ＤＬ  ＴＤＤ構成でデプロイされるＳＣｅｌｌ上のダウンリンクチャネルに関して、ダウンリンクチャネル送信が、対応するダウンリンク制御チャネルの検出によって示される場合、または、ｋ∈Ｋであり、Ｋはサブフレームｎに応じて表３から表５において定義される１セットのＭ要素｛ｋ０、ｋ１、…ｋ（Ｍ−１）｝であるサブフレームｎ−ｋ内で、ダウンリンク制御チャネルがダウンリンクセミパーシステントスケジューリング（ＳＰＳ）リリースを示す場合、ＰＣｅｌｌ上で使用されるためのＵＬ／ＤＬタイミングシーケンス構成は以下のように定義される。
ｃ）ダウンリンクデータサブフレームが第１タイプのダウンリンクデータサブフレームである場合、使用されるＨＡＲＱタイミングシーケンス構成は、クロスキャリアスケジューリングまたは自己スケジューリング構成に関わらず、ＰＣｅｌｌのＳＩＢ１  ＴＤＤタイミングシーケンス構成に従うか、または代替的にＤＬ基準ＵＬ／ＤＬタイミングシーケンス構成に従うべきである。ＤＬ基準ＵＬ／ＤＬ構成は、表２において示されるようなクロスキャリアスケジューリングの場合、スケジューリングセルのＳＩＢ１  ＴＤＤ構成、およびＰＣｅｌｌのＳＩＢ１  タイミングシーケンス構成によって共同して決定される。
ｄ）ダウンリンクデータサブフレームが第２タイプのダウンリンクデータサブフレームである場合、使用されるＨＡＲＱタイミングシーケンス構成は以下の複数の異なる代替例によって定義される。
ｉ）ｋ＞＝４であるサブフレームｎ−ｋにおけるＤＬデータ送信のためのＨＡＲＱタイミングシーケンス構成は、ＰＣｅｌｌ上の第１の利用可能なＵＬサブフレームｎにおいてＨＡＲＱを送信することを備える。
ｉｉ）ｋ＞＝４であるサブフレームｎ−ｋにおけるＤＬデータ送信のためのＨＡＲＱタイミングシーケンス構成は、複数の利用可能なＵＬサブフレームに渡る分散された様式で、ＰＣｅｌｌ上の利用可能なＵＬサブフレームｎにおいてＨＡＲＱを送信することを備える。
【０１００】
様々な実施形態は、コンピューティングデバイス上で実行されることに応答して、コンピューティングデバイスに、説明された複数の方法のいずれかを実行させる複数の非一時的な命令を備える少なくとも１つの機械可読媒体を提供しうる。様々な実施形態は、本明細書において開示された任意の方法の任意の部分を実行すべく配置、構成、適合、または指示される任意の種類のデバイスまたはハードウェアを含み、電源投入時、または最初の使用後に続く期間において特定のタスクを実行すべく構成されるのみでありうる無給電状態の任意のデバイスまたはハードウェアを含みうる。
【０１０１】
当業者は、「構成される処理回路」が、機能を実行し、その機能を実行すべく「構成されるハードウェア」、「構成されるソフトウェア」、および「構成されるハードウェアおよびソフトウェアの組み合わせ」のうち少なくとも１つを備えることを理解する。
【０１０２】
特定の複数の実施形態が説明の目的のために本明細書において例示され説明されてきたが、同一の複数の目的を達成すべく意図される多種多様な代替的および／または等価な複数の実施形態または複数の実装が、本開示の範囲から逸脱することなく、示され説明された複数の実施形態の代替となりうる。本願は、本明細書において議論された複数の実施形態のいかなる改変または変形をも網羅すべく意図される。ゆえに、本明細書において説明された複数の実施形態は特許請求およびその複数の等価物によってのみ限定されることが明白に意図される。
【図１】
0006579713.tif 000014
【図２】
0006579713.tif 000015
【図３】
0006579713.tif 000016
【図４】
0006579713.tif 000017
【図５】
0006579713.tif 000018
【図６】
0006579713.tif 000019
【図７】
0006579713.tif 000020
【図８】
0006579713.tif 000021
【図９】
0006579713.tif 000022
【図１０】
0006579713.tif 000023